(57)【特許請求の範囲】
【請求項１】
円板であって、その中心部に円板の中心軸に沿って設けられた貫通孔と、前記円板の周面に設けられた、前記円板の中心軸に対して傾斜し、かつ、末広がり状の１つ以上の拡径溝と、前記円板の周面から貫通孔につづく切り割りとを備えてなることを特徴とする光ケーブル端末処理用拡径具。
【請求項２】
前記円板が、切頭円錐状、円柱状、多角形板状のいずれかであることを特徴とする請求項１記載の光ケーブル端末処理用拡径具。
【請求項３】
前記拡径溝の断面形状がほぼ半円形であることを特徴とする請求項１または請求項２記載の光ケーブル端末処理用拡径具。
【請求項４】
平面形状が扇形状のピースを、その短辺部が内側に来るように複数集合させてなるドーナッツ状の光ケーブル端末処理用拡径具であって、
上記ピースには、扇形の半径方向に傾斜した円形の拡径孔を形成し、ピースの短辺部もしくは長辺部から拡径孔につづく切り割りを形成したことを特徴とする光ケーブル端末処理用拡径具。
【請求項５】
請求項１ないし４いずれか一項に記載の光ケーブル端末処理用拡径具で端末処理された光ケーブルの接続部が収納された光クロージャ。
【請求項６】
請求項１ないし４いずれか一項に記載の光ケーブル端末処理用拡径具で端末処理された光ケーブルの成端部が設置された成端架。
【発明の詳細な説明】
【０００１】
【発明の属する技術分野】
本発明は、マルチスロット光ケーブル等の光ケーブルの端末処理に用いる光ケーブル端末処理用拡径具、およびこれで端末処理された光ケーブルが設置された光クロージャ、成端架に関し、詳しくはマルチスロット光ケーブル等の光ケーブルの各スロットユニット等を拡径し、端末処理の作業性と光ファイバ心線識別性を改善することができる光ケーブル端末処理用拡径具、およびこれで端末処理された光ケーブルが設置された光クロージャ、成端架に関する。
【０００２】
【従来の技術】
光ファイバケーブル（以下、光ケーブルと記す）の多心化に伴い、例えば、図６に示すような、多数の光ファイバテープ心線もしくは光ファイバテープ心線等（以下、光ファイバと記す）が収納されたスロット型ユニット（以下、スロットと記す）を複数有するマルチスロット光ケーブルが採用されつつある。
【０００３】
このマルチスロット光ケーブル４０は、中心スロット４１と、この中心スロット４１の外周面上に集合した７本の外周スロット４２と、このスロット集合体上に巻回された押さえ巻きテープ４３と、押さえ巻きテープ４３と各スロットの間に充填された充填材４４と、押さえ巻きテープ４３上に形成された外被４５とから構成される。
また、上記中心スロット４１は、外周面に溝部４６が複数形成されたスロットロッド４７と、このスロットロッド４７の中心に配置されたテンションメンバ４８と、スロットロッド４７の溝部４６に収納された複数の光ファイバ４９と、スロットロッド４７上に巻回された押さえ巻きテープ５０とから構成され、上記外周スロット４２は、外周面に溝部５１が複数形成されたスロットロッド５２と、このスロットロッド５２の中心に配置されたテンションメンバ５３と、スロットロッド５２の溝部５１に収納された複数の光ファイバ５４と、スロットロッド５２上に巻回された押さえ巻きテープ５５とから構成される。
【０００４】
このようなマルチスロット光ケーブル４０の端末同士の接続や、端末の成端などの端末処理において、中心スロット４１および外周スロット４２の切断作業、テンションメンバ４８，５３の処理作業、光ファイバ４９，５４の識別作業、光ファイバ４９，５４の接続作業を行う場合、外周スロット４２から引き出された多数の光ファイバ５４が障害となって、中心スロット４２の端末処理作業に支障をきたす。特に、光ファイバが３０００心もしくはそれ以上収納された超多心マルチスロット光ケーブルの端末処理では、中心スロットの端末処理作業はかなり困難となる。また、超多心マルチスロット光ケーブルの接続部や成端部を光クロージャや成端架に設置した後に、光ケーブルの再接続、分岐、支障移転等を行う場合では、中心スロットの光ファイバの識別はほぼ不可能となる。
【０００５】
【発明が解決しようとする課題】
よって、本発明における課題は、マルチスロット光ケーブル等の光ケーブル端末を拡径し、光ケーブルの端末処理の作業性と光ファイバ心線識別性を改善することができる光ケーブル端末処理用拡径具、およびこれで端末処理された光ケーブルの接続部や成端部が設置された光クロージャ、成端架を提供することにある。
【０００６】
【課題を解決するための手段】
かかる課題は、円板であって、その中心部に円板の中心軸に沿って設けられた貫通孔と、前記円板の周面に設けられた、前記円板の中心軸に対して傾斜し、かつ、末広がり状の１つ以上の拡径溝と、前記円板の周面から貫通孔につづく切り割りとを備えてなる光ケーブル端末処理用拡径具によって解決される。
また、平面形状が扇形状のピースを、その短辺部が内側に来るように複数集合させてなるドーナッツ状の光ケーブル端末処理用拡径具であって、上記ピースには、扇形の半径方向に傾斜した円形の拡径孔を形成し、ピースの短辺部もしくは長辺部から拡径孔につづく切り割りを形成した光ケーブル端末処理用拡径具によって解決される。
また、これら光ケーブル端末処理用拡径具で端末処理された光ケーブルの接続部が収納された光クロージャや、これら光ケーブル端末処理用拡径具で端末処理された光ケーブルの成端部が設置された成端架によって解決される。
【０００７】
【発明の実施の形態】
以下、図面を用いて本発明の光ケーブル端末処理用拡径具の形態例を詳しく説明するが、本発明は以下に示す形態例に限定されるものではない。
【０００８】
（形態例１）
図１は、本発明の光ケーブル端末処理用拡径具の一形態例を示す図である。
この光ケーブル端末処理用拡径具１は、切頭円錐状の円板２の周面２ａに、断面形状がほぼ半円形の拡径溝３を末広がり状に７箇所形成するとともに、この円板２の中心部に円形の貫通孔４を形成し、円板２の周面２ａから貫通孔４につづく切り割り５を形成したものである。
【０００９】
上記円板２の材質は、切り割り５を弾性変形によって押し拡げることが可能な材質であればよく、例えば、エチレン−プロピレン−ジエン共重合体（ＥＰＤＭ）、シリコーン、ウレタン等のゴム状素材、プラスチック素材などが挙げられる。中でも、弾性等の特性を考慮した場合、ＥＰＤＭが好適である。
上記円板２の厚さおよび直径は、拡径する光ケーブルの外径、心線数等によって設定されるものであり、特に限定はされないが、例えば、３０００心のマルチスロット光ケーブルの場合、その厚さは、１０〜３０ｍｍであり、その切頭円錘の底面の直径は、４０〜６０ｍｍであり、その切頭円錘の上面の直径は、５０〜７０ｍｍである。
なお、上記円板２の形状は、切頭円錐状に限定されるものではなく、例えば、円柱状、多角形板状などであってもよい。
【００１０】
上記拡径溝３の数は、拡径するマルチスロット光ケーブルに収納された外周スロットの数によって設定されるものであり、特に７箇所に限定されるものではない。また、拡径溝３を２箇所以上形成する場合は、各拡径溝３が円板２の周縁の円周等分位置に形成されることが好ましい。
上記拡径溝３の断面半円の直径は、拡径するマルチスロット光ケーブルの外周スロットの直径によって設定されるものであり、特に限定はされないが、例えば、３０００心のマルチスロット光ケーブルの場合、その半径は、６．５〜８．５ｍｍである。
【００１１】
また、上記拡径溝３は、末広がり状に傾斜させて設ける必要がある。その傾斜角は、例えば、円板２の中心軸に対して１５〜４５゜の範囲である。この傾斜角が１５゜未満では、マルチスロット光ケーブル端末の拡径が十分に行えず、４５゜を越えると、拡げられた外周スロットの曲げ角度が大きくなりすぎるため、これに収納された光ファイバの伝送特性等に悪影響を及ぼす。
【００１２】
上記貫通孔４の直径は、拡径するマルチスロット光ケーブルの中心スロットの直径によって設定されるものであり、特に限定はされないが、例えば、３０００心のマルチスロット光ケーブルの場合、その半径は、８〜１１ｍｍである。
また、上記切り割り５の幅は、特に限定はされないが、例えば、０〜２ｍｍである。
【００１３】
次に、この光ケーブル端末処理用拡径具１の使用方法について説明する。
図２は、３０００心のマルチスロット光ケーブルの拡径方法の手順を示した概略図である。
まず、マルチスロット光ケーブル１０の外被１１を端末から約９００ｍｍの位置まで剥ぎ取り、中央スロット１２および外周スロット１３を露出させ、ケーブル外被端から約２５ｍｍ先の中央スロット１２および外周スロット１３に、図２（ａ）に示すように、幅１０ｍｍのポリ塩化ビニルテープ（以下、ＰＶＣテープと記す）を巻き付け、テープ巻き部１４を設ける。
【００１４】
ついで、光ケーブル端末処理用拡径具１を用意する。この光ケーブル端末処理用拡径具１の切り割り５を押し拡げ、図２（ｂ）に示すように、拡径溝３の傾斜がマルチスロット光ケーブル１０の先端に向かって末広がり状になりように、中央スロット１２のテープ巻き部１４を貫通孔４に挿入し、外周スロット１３のテープ巻き部１４を拡径溝３に嵌め合わせ、拡径する。
【００１５】
そして、図２（ｃ）に示すように、光ケーブル端末処理用拡径具１の周面および外周スロット１３上にＰＶＣテープ１５を巻回し、光ケーブル端末処理用拡径具１と外周スロット１３を固定した後、光ケーブル端末処理用拡径具１から先の中央スロット１２および外周スロット１３の押さえ巻きテープ１６を剥ぎ取り、スロットロッド（図示略）を切断して光ファイバ１７およびテンションメンバ１８を露出させる。
【００１６】
次に、マルチスロット光ケーブル１０の接続方法および光クロージャへの収納方法を説明する。
まず、図３に示すように、光ケーブル端末処理用拡径具１により拡径され、光ファイバ１７が露出されたマルチスロット光ケーブル１０を、光クロージャ２０の端面板２２に挿入し、テンションメンバ１８をテンションメンバ把持金具２３で固定する。
ついで、光ファイバ１７を互いに接続して、光ファイバ１７接続部を心線収納用品２４に収納する。光ファイバ１７の接続後、クロージャスリーブ２１を取り付け、マルチスロット光ケーブル１０の接続部の光クロージャ２０への収納が完了する。
【００１７】
このような光ケーブル端末処理用拡径具１にあっては、中央部の貫通孔４でマルチスロット光ケーブル１０の中央スロット１２を固定し、拡径溝３で中央スロット１２の周りの外周スロット１３を拡げているので、中央スロット１２の光ファイバ１７の識別作業、接続作業等が容易である。また、マルチスロット光ケーブル１０の接続部を光クロージャ２０に収納した後でも、光ケーブル端末処理用拡径具１を取り付けた状態にしているので、マルチスロット光ケーブル１０の再接続、分岐、支障移転等における、光ファイバ１７の識別作業、接続作業等が容易に行える。
【００１８】
（形態例２）
図４および図５は、本発明の光ケーブル端末処理用拡径具の一形態例を示す図である。
この光ケーブル端末処理用拡径具３０は、平面形状が扇形状のピース３１を、その短辺部３２が内側に来るように７個集合させてなるドーナッツ状のもので、上記ピース３１には、半径方向に傾斜した円形の拡径孔３３を形成し、ピース３１の短辺部３２から拡径孔３３につづく切り割り３４を形成したものである。
【００１９】
光ケーブル端末処理用拡径具３０の大きさは、拡径する光ケーブルの外径、心線数等によって設定されるものであり、特に限定はされないが、例えば、３０００心のマルチスロット光ケーブルの場合、その厚さは、１０〜３０ｍｍであり、ドーナッツ状の拡径具の直径は、６０〜１００ｍｍであり、また、短辺部３２が集合して形成されるドーナッツ状の拡径具の中心孔３５の直径は、１６〜２２ｍｍである。
【００２０】
上記ピース３１の数は、拡径するマルチスロット光ケーブルに収納された外周スロットの数によって設定されるものであり、特に７個に限定されるものではない。
上記ピース３１の材質は、切り割り３４を弾性変形によって押し拡げることが可能な材質であればよく、例えば、ＥＰＤＭ、シリコン、ウレタン等のゴム状素材、プラスチック素材などが挙げられる。中でも、弾性等の特性を考慮した場合、ＥＰＤＭが好適である。
【００２１】
上記拡径孔３３の直径は、拡径するマルチスロット光ケーブルの外周スロットの直径によって設定されるものであり、特に限定はされないが、例えば、３０００心のマルチスロット光ケーブルの場合、その直径は、６．５〜８．５ｍｍとされる。
また、上記拡径孔３３は、扇形の半径方向に傾斜させて設ける必要がある。その傾斜角は、例えば、光ケーブル端末処理用拡径具３０の中心軸に対して１５〜４５゜の範囲である。この傾斜角が１５゜未満では、マルチスロット光ケーブル端末の拡径が十分に行えず、４５゜を越えると、拡げられた外周スロットの曲げ角度が大きくなりすぎるため、これに収納された光ファイバの伝送特性等に悪影響を及ぼす。
また、上記切り割り３４の幅は、特に限定はされないが、例えば、０〜２ｍｍである。なお、切り割りは、ピース３１の長辺部から拡径孔３３につづくように形成されていてもよい。
【００２２】
次に、この光ケーブル端末処理用拡径具３０の使用方法について説明する。
まず、形態例１の場合と同様に、マルチスロット光ケーブルの外被を端末から約９００ｍｍの位置まで剥ぎ取り、中央スロットおよび外周スロットを露出させ、ケーブル外被端から約２５ｍｍ先の中央スロットおよび外周スロットに幅１０ｍｍのＰＶＣテープを巻き付ける。
【００２３】
ついで、光ケーブル端末処理用拡径具３０を用意する。この光ケーブル端末処理用拡径具３０の各ピース３１の切り割り３４を押し拡げ、拡径孔３３の傾斜がマルチスロット光ケーブルの先端部に向かって末広がり状になりように、各外周スロットのＰＶＣテープ巻き部を拡径孔３３に挿入し、拡径する。各ピース３１の短辺部３２を中央スロット外周面に集合させ、短辺部３２が集合して形成される中心孔３５に中心スロットを固定する。
【００２４】
そして、光ケーブル端末処理用拡径具３０の周面上にＰＶＣテープを巻回し、光ケーブル端末処理用拡径具３０を固定、一体化した後、光ケーブル端末処理用拡径具３０から先の中央スロットおよび外周スロットの押さえ巻きテープを剥ぎ取り、スロットロッドを切断して光ファイバおよびテンションメンバを露出させる。
【００２５】
このような光ケーブル端末処理用拡径具３０にあっては、中央部の中心孔３５でマルチスロット光ケーブルの中央スロットを固定し、拡径孔３３で中央スロットの周りの外周スロットを拡げているので、中央スロットの光ファイバの識別作業、接続作業等が容易である。また、マルチスロット光ケーブルの接続部を光クロージャに収納した後でも、光ケーブル端末処理用拡径具３０を取り付けた状態にしているので、マルチスロット光ケーブルの再接続、分岐、支障移転等における、光ファイバの識別作業、接続作業等が容易に行える。
【００２６】
上記光ケーブル端末処理用拡径具１および光ケーブル端末処理用拡径具３０は、３０００心もしくはそれ以上の超多心マルチスロット光ケーブル以外に、１０００心程度のマルチスロット光ケーブルに使用可能であり、また、これらマルチスロット光ケーブル以外の光ケーブル、例えば、中心にスロットがあり、その周りにエアーブロン用（空気圧送用）パイプが配置された光ケーブル、中心にテンションメンバがありその周りに外周スロットが配置された光ケーブルにも使用可能である。
【００２７】
【発明の効果】
以上説明したように、本発明の光ケーブル端末処理用拡径具にあっては、マルチスロット光ケーブル等の光ケーブルの端末を拡げ、かつ拡げた状態を保持することができるので、マルチスロット光ケーブルの端末同士の接続や、端末の成端などの端末処理において、スロットの切断作業、テンションメンバの処理作業、光ファイバの識別作業、光ファイバの接続作業等を容易に行うことができ、また、マルチスロット光ケーブル等の光ケーブルの接続部や成端部を光クロージャ、成端架等に設置した後でも、光ファイバの識別作業、分岐作業、接続作業等を容易に行うことができ、光ケーブルの端末処理の作業性と光ファイバ心線識別性を改善することができるという優れた効果を奏する。
【図面の簡単な説明】
【図１】本発明の光ケーブル端末処理用拡径具の一形態例を示す図であり、（ａ）は上面図、（ｂ）は側面図、（ｃ）は底面図である。
【図２】本発明の光ケーブル端末処理用拡径具の使用手順の一例を示した概略図である。
【図３】本発明の光ケーブル端末処理用拡径具を使用したマルチスロット光ケーブルの光クロージャへの収納形態例を示した側面図である。
【図４】本発明の光ケーブル端末処理用拡径具の一形態例を示す図である。
【図５】本発明の光ケーブル端末処理用拡径具のピースの一例を示す図であり、（ａ）は上面図、（ｂ）は側面図、（ｃ）は底面図、（ｄ）は斜視図である。
【図６】マルチスロット光ケーブルの一例を示す断面図である。
【符号の説明】
１・・・光ケーブル端末処理用拡径具、２・・・円板、２ａ・・・周面、３・・・拡径溝、４・・・貫通孔、５・・・切り割り、３０・・・光ケーブル端末処理用拡径具、３１・・・ピース、３２・・・短辺部、３３・・・拡径孔、３４・・・切り割り
【図１】
0003571532.tif 000002
【図２】
0003571532.tif 000003
【図３】
0003571532.tif 000004
【図４】
0003571532.tif 000005
【図５】
0003571532.tif 000006
【図６】
0003571532.tif 000007